(57)【特許請求の範囲】
【請求項１】
施設内に配設される設備機器を制御する複数の制御装置を監視する監視制御システムで用いられる制御インターロック設定装置において、
前記制御装置が前記設備機器の動作を制御するための第１の制御演算論理式を記録する第１のデータベースと、
前記複数の制御装置のうち、アクセス不可能な制御装置の情報を記録する第２のデータベースと、
前記第１のデータベースに記録される前記第１の制御演算論理式から前記第２のデータベースに記録される制御装置に係る部分を削除した第２の制御演算論理式を作成する変換部と、
前記作成された第２の制御演算論理式を前記複数の制御装置へロードするロード部と
を具備することを特徴とする制御インターロック設定装置。
【請求項２】
前記第１の制御演算論理式及び前記第２の制御演算論理式に基づいて、前記第１の制御演算論理式から前記第２の制御演算論理式への変更部分が視認可能なロジック図を作成し、作成したロジック図を表示部に表示させるロジック図表示部をさらに具備することを特徴とする請求項１記載の制御インターロック設定装置。
【請求項３】
前記変換部は、前記第２のデータベースに記録される情報に変化があった場合、前記第２の制御演算論理式を作成することを特徴とする請求項２記載の制御インターロック設定装置。
【請求項４】
前記ロジック図表示部は、予め設定された周期で前記ロジック図を作成することを特徴とする請求項３記載の制御インターロック設定装置。
【請求項５】
前記ロジック図表示部は、予め設定された周期で、前記変換部により第２の制御演算論理式の作成が行われたか否かを確認する変換チェック機能を有し、作成が行われた場合、作成が行われたことを前記表示部へ表示させることを特徴とする請求項３又は４記載の制御インターロック設定装置。
【請求項６】
前記ロジック図表示部は、予め設定された周期で、前記制御装置が伝送接続できているか否かを確認する伝送接続チェック機能を有し、前記ロジック図において伝送接続できている制御装置と、伝送接続されていない制御装置とを区別することを特徴とする請求項３乃至５のいずれかに記載の制御インターロック設定装置。
【請求項７】
前記ロード部は、予め設定された周期で、前記制御装置にロードされている第２の制御演算論理式が、最新の第２の制御演算論理式と一致するか否かを確認する不一致検出機能を有し、一致しない場合、一致しないことを通知することを特徴とする請求項１乃至６のいずれかに記載の制御インターロック設定装置。
【請求項８】
施設内に配設される設備機器と、
前記設備機器を制御する複数の制御装置と、
前記制御装置が前記設備機器の動作を制御するための第１の制御演算論理式を記録する第１のデータベースと、
前記複数の制御装置のうち、アクセス不可能な制御装置の情報を記録する第２のデータベースと、
前記第１のデータベースに記録される前記第１の制御演算論理式から前記第２のデータベースに記録される制御装置に係る部分を削除した第２の制御演算論理式を作成する変換部と、
前記作成された第２の制御演算論理式を前記複数の制御装置へロードするロード部と
を具備することを特徴とする監視制御システム。
【発明の詳細な説明】
【技術分野】
【０００１】
本発明の実施形態は、制御インターロック条件に基づいて、施設に配設される構成機器を監視／制御する監視制御システムと、このシステムで用いられる制御インターロック設定装置に関する。
【背景技術】
【０００２】
例えば、変電所に設けられる監視制御システムにおいて、運転者は、変電所内の例えば開閉器等の構成機器を制御する制御装置にインターロック式を書き込んでおく。運転者が変電所の開閉器の操作指令を出したとき、制御装置は、インターロック式が成立しているかを判定する処理を実行する。インターロック式とは、変電所内の設備機器操作時の制御インターロック条件を、変電所内の設備機器全てを一意に見分けられる名称等の情報を項として組み合わせた論理式である。
【０００３】
従来の監視制御システムでは、パソコン等を使用した保守装置にて、インターロック式を制御装置に書き込むようにしている。
【先行技術文献】
【特許文献】
【０００４】
【特許文献１】特開２００８−７１１４２号公報
【特許文献２】特開２００７−３３４４３８号公報
【発明の概要】
【発明が解決しようとする課題】
【０００５】
従来の監視制御システムでは、電源の入っていない制御装置や外部配線されていない制御装置等のアクセス不可能な制御装置からの伝送情報をインターロック式で使用している場合、変電所内の全制御装置の立ち上げ、全ての外部配線の作業が終了するまで、制御装置がインターロック式を正常に判定出来ているかをチェックするインターロック試験を進められないという課題がある。また、電源の入っていない制御装置や外部配線されていない制御装置からの伝送情報をインターロック式で使用している場合であっても、インターロック式を編集し直し、電源が切れている制御装置や外部配線されていない制御装置からの伝送情報をインターロック式から除くことで、試験を進めることも可能である。しかしながら、各制御装置に設定するインターロック式は複雑であり、変電所内の制御装置の台数も多いため、後でインターロック式の戻し忘れが生じる可能性や、元の条件式に編集し直す際、誤って編集する可能性がある。
【０００６】
そこで、目的は、電源が切れている制御装置や外部配線されていない制御装置からの伝送情報をインターロック式で使用している場合であっても、インターロック試験を進めることが可能な監視制御システム及びこのシステムで用いられる制御インターロック設定装置を提供することにある。
【課題を解決するための手段】
【０００７】
実施形態によれば、施設内に配設される設備機器を制御する複数の制御装置を監視する監視制御システムで用いられる制御インターロック設定装置は、第１及び第２のデータベース、変換部及びロード部を具備する。第１のデータベースは、前記制御装置が前記設備機器の動作を制御するための第１の制御演算論理式を記録する。第２のデータベースは、前記複数の制御装置のうち、アクセス不可能な制御装置の情報を記録する。変換部は、前記第１のデータベースに記録される前記第１の制御演算論理式から前記第２のデータベースに記録される制御装置に係る部分を削除した第２の制御演算論理式を作成する。ロード部は、前記作成された第２の制御演算論理式を前記複数の制御装置へロードする。
【図面の簡単な説明】
【０００８】
【図１】第１の実施形態に係る監視制御システムの機能構成の例を示すブロック図である。
【図２】図１に示す制御インターロック設定部の機能構成を示すブロック図である。
【図３】図２に示す制御インターロック設定部の動作を示すフローチャートである。
【図４】図２に示すインターロック式保存データベースに記録されるインターロック式の例を示す図である。
【図５】図２に示すロジック図表示部が図４に示すインターロック式に基づいて作成するロジック図を示す図である。
【図６】図２に示すインターロック式変換部により作成される変換後のインターロック式の例を示す図である。
【図７】図２に示すロジック図表示部が図６に示すインターロック式を参照して作成するロジック図を示す図である。
【図８】第２の実施形態に係る制御インターロック設定部の機能構成の例を示すブロック図である。
【図９】図８に示すインターロック式変換部により作成される変換後のインターロック式の例を示す図である。
【図１０】図８に示すロジック図表示部が図９に示すインターロック式を参照して作成するロジック図を示す図である。
【図１１】インターロック式を構成する信号数が多い場合のロジック図の表示例を示す図である。
【図１２】図８に示すロジック図表示部が図６に示すインターロック式と、接続チェックの結果とを参照して作成するロジック図を示す図である。
【発明を実施するための形態】
【０００９】
以下、実施の形態について、図面を参照して説明する。
【００１０】
（第１の実施形態）  
図１は、第１の実施形態に係る監視制御システムの機能構成の例を示すブロック図である。図１に示す監視制御システムは、変電所に設けられ、一つのベイ毎に一台の制御装置が設置される場合を示している。ここでベイとは、変電所内で母線から分岐する送電線や変圧器につながる回線を指す。監視制御システムは、制御インターロック設定部１０と、ベイ１に設置される制御装置Ｂ１及び開閉器Ｑ０，Ｑ１，Ｑ２，Ｑ９，Ｑ５１，Ｑ５２，Ｑ５３と、ベイ２に設置される制御装置Ｂ２及び開閉器Ｑ０，Ｑ１，Ｑ２，Ｑ１５，Ｑ５１，Ｑ５２と、ベイ３に設置される制御装置Ｂ３及び開閉器Ｑ０，Ｑ１１，Ｑ１２，Ｑ５１，Ｑ５２と、ベイ４に設置される制御装置Ｂ４及び開閉器Ｑ０，Ｑ２１，Ｑ２２，Ｑ５１，Ｑ５２と、ベイ５に設置される制御装置Ｂ５及び開閉器Ｑ０，Ｑ１，Ｑ２，Ｑ５１，Ｑ５２とを具備する。
【００１１】
制御装置Ｂ１〜Ｂ５は、それぞれのベイに設置される開閉器とケーブルで接続する。また、制御装置Ｂ１〜Ｂ５は、制御インターロック設定部１０と、ネットワークを介して接続する。また、制御装置Ｂ１〜Ｂ５は、他ベイに設置される制御装置と制御装置間通信により接続する。
【００１２】
制御装置Ｂ１〜Ｂ５は、ケーブルを介し、接続される開閉器の状態についての情報を取り込む。ここで、開閉器の状態とは、「開」状態であるか、「閉」状態であるかである。
【００１３】
制御装置Ｂ１〜Ｂ５は、取り込んだ情報をネットワーク経由で制御インターロック設定部１０へ送信する。
【００１４】
制御装置Ｂ１〜Ｂ５は、他ベイに設置される開閉器の状態についての情報を、制御装置間通信により接続される他ベイの制御装置から送信される信号に基づいて取得する。
【００１５】
図２は、第１の実施形態に係る制御インターロック設定部１０の機能構成を示すブロック図である。制御インターロック設定部１０は、監視制御システムにおける制御対象機器の制御インターロック式を設定する。ここで、インターロック式とは、変電所内の開閉器操作時の制御インターロック条件を、変電所内の開閉器全てを一意に見分けられる名称等の情報を項として組み合わせた論理式である。
【００１６】
制御インターロック設定部１０は、例えば、ＰＣ及びストレージを備える。ＰＣは、ＣＰＵ（Central Processing Unit）、ＲＯＭ（Read Only Memory）及びＲＡＭ（Random Access Memory）等を備える。ＲＯＭ及び／又はＲＡＭには、ＣＰＵが処理を実行するためのプログラムやデータを格納する格納領域が含まれる。制御インターロック設定部１０は、ＣＲＴ（Cathode-ray tube）と、キーボード及びマウス等の入力装置と接続する。
【００１７】
制御インターロック設定部１０は、ＣＰＵにプログラムを実行させることで、後述の処理を実行する構成要素を実現する。すなわち、制御インターロック設定部１０は、インターロック式編集部１１、制御装置登録部１２、インターロック式変換部１３、ロード部１４及びロジック図表示部１５を備える。
【００１８】
また、制御インターロック設定部１０は、ストレージに三つの記憶領域を形成する。すなわち、制御インターロック設定部１０は、変電所データベース１６、インターロック式保存データベース１７及び制御装置データベース１８を備える。
【００１９】
インターロック式編集部１１は、入力装置から入力される入力情報を反映させ、インターロック式保存データベース１７へインターロック式を記録する。また、インターロック式編集部１１は、入力装置から入力される入力情報に基づいて、インターロック式保存データベース１７に記録されているインターロック式を編集する。なお、編集処理内容は、従来技術及び／又は汎用技術を使用する。インターロック式編集部１１は、インターロック式保存データベース１７で記録されているインターロック式をＣＲＴに表示する。
【００２０】
制御装置登録部１２は、入力装置から入力される入力情報を制御装置の装置名、装置番号に反映させ、制御装置データベース１８に記録される制御装置の装置名、装置番号を更新する。例えば、入力装置から、インターロック式保存データベース１７に記録されるインターロック式から削除したい信号の作成元である制御装置の装置名及び装置番号が入力された場合、制御装置登録部１２は、入力された制御装置の装置名及び装置番号を、制御装置データベース１８へ登録する。制御装置登録部１２は、制御装置データベース１８に登録される制御装置の装置名及び装置番号をＣＲＴに表示する。
【００２１】
インターロック式変換部１３は、制御インターロック設定部１０が起動された場合、インターロック式保存データベース１７に保存されたインターロック式から、制御装置データベース１８に登録された制御装置により作成される信号を削除することで、新たなインターロック式を作成する。すなわち、インターロック式変換部１３は、制御インターロック設定部１０が起動された場合、インターロック式保存データベース１７に保存されているインターロック式を、制御装置データベース１８に登録されている制御装置に基づいて、新たなインターロック式へ変換する。なお、制御装置データベース１８に制御装置が登録されていない場合、インターロック式変換部１３は、インターロック式の変換処理を実施しない。
【００２２】
ロジック図表示部１５は、インターロック式変換部１３により新たなインターロック式が変換された場合、インターロック式保存データベース１７に記録されるインターロック式と、新たなインターロック式とを参照し、インターロック式の変更点が明示されるロジック図を作成する。このとき、ロジック図表示部１５は、制御装置データベース１８に登録されている制御装置により作成される信号が、他の制御装置により作成される信号と区別されるようにロジック図を作成する。ロジック図表示部１５は、インターロック式変換部１３により新たなインターロック式が変換されない場合、インターロック式保存データベース１７に記録されるインターロック式に基づいてロジック図を作成する。ロジック図表示部１５は、作成したロジック図をＣＲＴに表示する。
【００２３】
ロード部１４は、運転者からの指令に従い、インターロック式変換部１３で作成された新たなインターロック式を制御装置Ｂ１〜Ｂ５にロードする。
【００２４】
変電所データベース１６は、制御装置Ｂ１〜Ｂ５から供給される、開閉器の状態についての情報を取得する。変電所データベース１６は、取得した情報に基づいて、変電所内の各開閉器の状態についての情報を記録する。
【００２５】
インターロック式保存データベース１７は、変電所内の開閉器の操作時のインターロック式を保存している。また、インターロック式保存データベース１７は、インターロック式編集部１１により、保存しているインターロック式が編集された場合、編集後のインターロック式を保存する。
【００２６】
制御装置データベース１８は、制御装置登録部１２からの指示に従い、制御装置の装置名及び装置番号を記録する。なお、制御装置データベース１８に記録されるのは、装置名及び装置番号に限定されず、変電所内の制御装置全てを一意に見分けられる情報であるなら、他のものであっても構わない。
【００２７】
次に、上記構成の制御インターロック設定部１０の動作を詳細に説明する。図３は、第１の実施形態に係る制御インターロック設定部１０の動作を示すフローチャートである。
【００２８】
以下では、図４に示すインターロック式がインターロック式保存データベース１７に記録され、制御装置Ｂ２及び制御装置Ｂ５が制御装置データベース１８に登録されている場合を例に説明する。
【００２９】
図４では、例えば、ベイ１に設置される開閉器Ｑ０，Ｑ１，Ｑ２，Ｑ９，Ｑ５１，Ｑ５２，Ｑ５３の閉状態を「機器名」、開状態を「！機器名」、論理積を「＊」、論理和を「＋」として表現する。インターロック式保存データベース１７では、図４に示すようなインターロック式を例えばベイ毎に記録している。制御対象の開閉器と同じベイの開閉器についてはその機器名称だけを指定し、制御対象の開閉器と別のベイの開閉器を指定する際はベイ名称と機器名称を指定する。これにより、変電所内の全ての開閉器の指定と入力の簡素化を実現する。
【００３０】
図４で例示したインターロック式の意味は次のようになる。制御対象のベイ１に属する開閉器Ｑ１の閉操作を行う際に必要なインターロック条件は、「ベイ１の開閉器Ｑ０が開状態かつベイ１の開閉器Ｑ２が開状態かつベイ１の開閉器Ｑ５１が開状態かつベイ１の開閉器Ｑ５２が開状態かつベイ１の開閉器Ｑ５３が開状態かつベイ２の開閉器Ｑ１５が開状態、もしくは、ベイ１の開閉器Ｑ０が閉状態かつベイ１の開閉器Ｑ２が閉状態かつベイ１の開閉器Ｑ９が閉状態かつベイ２の開閉器Ｑ０が閉状態かつベイ２の開閉器Ｑ１が閉状態かつベイ２の開閉器Ｑ２が閉状態、もしくは、ベイ１の開閉器Ｑ０が閉状態かつベイ１の開閉器Ｑ２が閉状態かつベイ１の開閉器Ｑ９が閉状態かつベイ３の開閉器Ｑ０が閉状態かつベイ３の開閉器Ｑ１１が閉状態かつベイ３の開閉器Ｑ１２が閉状態かつベイ４の開閉器Ｑ０が閉状態かつベイ４の開閉器Ｑ２１が閉状態かつベイ４の開閉器Ｑ２２が閉状態かつベイ５の開閉器Ｑ０が閉状態かつベイ５の開閉器Ｑ１が閉状態かつベイ５の開閉器Ｑ２が閉状態、もしくは、ベイ２の開閉器Ｑ１５が閉状態かつベイ１の開閉器Ｑ５２が閉状態」である。
【００３１】
インターロック式変換部１３は、制御インターロック設定部１０が起動された場合（ステップＳ３１のＹｅｓ）、制御装置データベース１８に制御装置の装置名及び装置番号が登録されているか否かを判断する（ステップＳ３２）。制御装置データベース１８に制御装置の装置名及び装置番号が登録されている場合（ステップＳ３２のＹｅｓ）、インターロック式変換部１３は、インターロック式保存データベース１７に保存されるインターロック式と、制御装置データベース１８に登録される装置名及び装置番号に基づいて新たなインターロック式を作成する（ステップＳ３３）。本実施形態では、インターロック式変換部１３は、インターロック式保存データベース１７に保存される図４に示すインターロック式と、制御装置データベース１８に登録される制御装置Ｂ２及び制御装置Ｂ５とから、図６に示す新たなインターロック式を作成する。
【００３２】
制御装置データベース１８に制御装置の装置名及び装置番号が登録されていない場合（ステップＳ３２のＮｏ）、ロジック図表示部１５は、図３に示すインターロック式に基づいて、ロジック図を作成し、作成したロジック図をＣＲＴに表示する（ステップＳ３４）。図５は、第１の実施形態に係るロジック図表示部１５が図４に示すインターロック式に基づいて作成したロジック図を示す。図５では、図４に示すインターロック式の各項が入力部５ａに整列表示され、各項の論理積、論理和が論理演算子ブロック５ｂとして表示され、インターロック式の出力が出力部５ｃとして表示されている。
【００３３】
ステップＳ３３の後、ロジック図表示部１５は、インターロック式変換部１３により作成された新たなインターロック式と、インターロック式保存データベース１７に記録されるインターロック式とに基づいてロジック図を作成する。図７は、第１の実施形態に係るロジック図表示部１５が、図６に示す新たなインターロック式と、インターロック式保存データベース１７に記録される図４に示すインターロック式とに基づいて作成されるロジック図を示す。図７では、制御装置データベース１８に登録される制御装置Ｂ２，Ｂ５により作成される信号が破線で示され、インターロック式保存データベース１７に記録されるインターロック式と、新たなインターロック式との変更点が視認可能なようになっている。ロジック図表示部１５は、作成したロジック図をＣＲＴに表示し（ステップＳ３５）、処理を終了させる。
【００３４】
運転者は、図７に示すロジック図が表示されたＣＲＴを視認する。運転者は、表示されたロジック図に異常がない場合、ロード部１４に対し、新たなインターロック式を制御装置Ｂ１〜Ｂ５へロードするように指示を出す。
【００３５】
ロード部１４は、運転者からの指示を受けると、新たなインターロック式を、制御装置Ｂ１〜Ｂ５へロードする。
【００３６】
インターロック式がロードされた制御装置は、変電所の運転者からインターロック式の試験指示があった場合、ロードしたインターロック式についてのインターロック試験を行う。ここで、インターロック試験とは、インターロック条件の成立状況を確認するための試験である。例えば、インターロック式の試験指示があった場合、ベイ１に設置される制御装置Ｂ１は、ベイ１に設置される開閉器Ｑ０，Ｑ１，Ｑ２，Ｑ９，Ｑ５１，Ｑ５２，Ｑ５３の状態をケーブル経由で取り込み、他ベイであるベイ２〜５に設置される開閉器の状態を制御装置間通信により制御装置Ｂ２〜Ｂ５からの送信信号に基づいて取り込む。制御装置Ｂ１は、取り込んだ開閉器の状態に基づいて、ロードしたインターロック式のインターロック試験を行う。
【００３７】
以上のように、第１の実施形態では、インターロック式変換部１３は、インターロック式保存データベース１７に記録されるインターロック式と、制御装置データベース１８に登録される制御装置の情報に基づいて、新たなインターロック式を作成する。そして、ロード部１４は、作成した新たなインターロック式を制御装置Ｂ１〜Ｂ５へロードするようにしている。これにより、制御インターロック設定部１０は、監視制御システムにおいて実際の運用時に使用する正式のインターロック式を完成させた後に、インターロック試験のためにインターロック式から除外したい信号がある場合であっても、インターロック式を編集、作成し直すことなく、新たなインターロック式を作成し、作成した新たなインターロック式を制御装置Ｂ１〜Ｂ５へロードすることが可能となる。
【００３８】
したがって、第１の実施形態に係る監視制御システムによれば、制御インターロック設定部１０は、電源が切れている制御装置や外部配線されていない制御装置（セットアップが完了していない制御装置）がある場合であっても、インターロック試験を実施する試験員に、インターロック試験を進めさせることができる。
【００３９】
従来技術では、変電所内にセットアップが完了していない制御装置が存在する場合、全ての制御装置のセットアップが完了した後でなければ、インターロック試験を進めることが一切できなかった。変電所内にセットアップが完了していない制御装置が存在する場合であっても、セットアップが完了していない制御装置からの信号をインターロック式から除く編集をすることで、インターロック試験を続行することも可能だが、各制御装置に設定するインターロック式は複雑であり、変電所内の制御装置の台数も多いため、後でインターロック式の戻し忘れが生じる可能性や、元の条件式に編集し直す際、誤って編集する可能性がある。
【００４０】
これに対し、第１の実施形態に係る制御インターロック設定部１０では、試験員がインターロック式の編集作業をすることなく、インターロック試験を進めることが可能であるため、変電所内の全制御装置のセットアップが完了した時に、インターロック式を編集し直すことなく、インターロック式保存データベース１７に記録される正式のインターロック式を制御装置にロードすることが可能である。このため、インターロック式から除外していた信号の部分を追加試験するだけでインターロックの試験を完了させることができ、結果として、インターロック試験の作業完了日の前倒しが可能となる。
【００４１】
（第２の実施形態）  
図８は、第２の実施形態に係る制御インターロック設定部２０の機能構成の例を示すブロック図である。なお、第１の実施形態に係る制御インターロック設定部１０と同様の動作を行う構成要素には同一の符号を付す。
【００４２】
インターロック式変換部１９は、制御装置データベース１８に登録された情報に変化があった場合、インターロック式保存データベース１７に保存されたインターロック式から、制御装置データベース１８に登録された制御装置により作成される信号を削除することで、新たなインターロック式を作成する。すなわち、インターロック式変換部１９は、制御装置データベース１８に記録された情報に変化があった場合、インターロック式保存データベース１７に保存されているインターロック式を、制御装置データベース１８に登録されている制御装置に基づいて、新たなインターロック式へ変換する。図９は、インターロック式変換部１９で作成される新たなインターロック式の一例を示す。図６は、制御装置データベース１８に制御装置Ｂ２及び制御装置Ｂ５が登録されている場合のインターロック式を示しており、インターロック式変換部１９は、制御装置データベース１８から制御装置Ｂ２が削除された際に、自動的にインターロック式を図６に示す式から図９に示す式に変換する。
【００４３】
第１の実施形態では、インターロック式変換部１３は、運転者が制御インターロック設定部１０を起動した際に、その時点での制御装置データベース１８に記録された情報を元にインターロック式を変換する。一方、第２の実施形態では、インターロック式変換部１９は、制御装置データベース１８に保存された情報に変化があった際にインターロック式を再変換するようにしている。
【００４４】
これにより、制御インターロック設定部２０は、変電所内のある制御装置Ｂ１〜Ｂ５のセットアップが完了した際、制御装置データベース１８へ制御装置を記録させるだけで、又は、制御装置データベース１８から制御装置を削除するだけで、インターロック式を編集し直すことなく、自動的にインターロック式が再変換されることになる。
【００４５】
したがって、第２の実施形態に係る制御インターロック設定部２０は、電源が切れている制御装置や外部配線されていない制御装置（セットアップが完了していない制御装置）がある場合であっても、インターロック試験を実施する試験員に、制御装置の登録をさせるだけで、インターロック試験を進めさせることができる。このため、インターロック試験を実施する試験員の負担が軽減されることとなる。
【００４６】
なお、第２の実施形態では、ロジック図表示部１５は、インターロック式変換部１９で新たなインターロック式が作成された際に、インターロック式保存データベース１７に記録されるインターロック式と、新たなインターロック式とを参照し、インターロック式の変更点が明示されるロジック図を作成するようにしている。図１０は、ロジック図表示部１５が、図３に示すインターロック式と、図９に示すインターロック式とを参照して作成するロジック図を示す。しかしながら、ロジック図表示部１５の動作はこれに限定される訳ではない。例えば、ロジック図表示部１５は、例えば、１秒周期等、予め設定された周期で、インターロック式保存データベース１７に記録されるインターロック式と、上記周期経過時に制御インターロック設定部２０で設定されているインターロック式とを参照し、インターロック式の変更点が明示されるロジック図を作成するようにしても構わない。なお、制御インターロック設定部２０で設定されているインターロック式とは、インターロック式変換部１９によりインターロック式の変換が実施されている場合は、直前に変換されたインターロック式のことを指し、インターロック式変換部１９によるインターロック式の変換が実施されていない場合は、インターロック式保存データベース１７に記録されているインターロック式を指す。
【００４７】
これにより、ロジック図表示部１５は、定期的にロジック図を再表示することになる。このため、試験員は、制御インターロック設定部２０に対して、制御装置を指定するだけで、その制御装置による信号がインターロック式から除外された後のインターロック式のロジック図表示をリアルタイムで見ることができる。
【００４８】
また、ロジック図表示部１５は、インターロック式変換部１９でインターロック式の変換が実施されたか否かを確認する変換チェック機能を有していても良い。
【００４９】
ロジック図表示部１５は、変換チェック機能により、予め設定された周期で、インターロック式保存データベース１７に記録されている正式なインターロック式を読み出し、読み出したインターロック式と、上記周期経過時において制御インターロック設定部２０で設定されているインターロック式とが同一であるか否かを確認する。それぞれのインターロック式の内容が異なる場合、ロジック図表示部１５は、インターロック式の変換が実施されている旨をＣＲＴに表示する。
【００５０】
また、ロジック図表示部１５は、変換チェック機能により、制御装置データベース１８に登録されている制御装置があるか否かを確認するようにしても良い。制御装置データベース１８に登録されている制御装置がある場合、ロジック図表示部１５は、インターロック式の変換が実施されている旨をＣＲＴに表示する。表示方法の具体例としては、メッセージ付きウィンドウをＣＲＴに表示させる方法がある。
【００５１】
これにより、インターロック式を構成する信号数が多いため、図１１に示すようにロジック図の全体を一画面で表示できない場合に、ロジック図表示をスクロールしてインターロック式全てをチェックすることなく、インターロック式保存データベース１７に保存されているインターロック式が変換されているのか否かを知ることが可能となる。このため、インターロック試験を実施する試験員は、インターロック式のロジック図表示画面をスクロールすることなく、実際に制御装置にロードすべきインターロック式が正式のインターロック式から変換されたものであるか否かを知ること可能となる。
【００５２】
また、ロード部１４は、制御装置Ｂ１〜Ｂ５へロードされているインターロック式が、直近に変換されたインターロック式と一致するか否かを確認する不一致検出機能を有していても良い。
【００５３】
ロード部１４は、不一致検出機能により、予め設定された周期で、制御装置のインターロック式を読み出し、その内容が、上記周期の経過時において、制御インターロック設定部２０で設定されているインターロック式と一致するか否かを確認する。インターロック式が不一致である場合、ロード部１４は、不一致である旨を試験員へ通知する。通知方法としては、ＣＲＴへの表示が例として挙げられる。
【００５４】
第２の実施形態に係る制御インターロック設定部２０で用いられるインターロック式変換部１９は、制御装置データベース１８に保存された情報に変化があった際にインターロック式を再変換するが、その際、制御装置Ｂ１〜Ｂ５にインターロック式をロードし忘れた場合であっても、不一致検出機能により、制御装置にロードされているインターロック式と、制御インターロック設定部１０とが有するインターロック式が不一致である旨を表示することにより、制御装置Ｂ１〜Ｂ５へのインターロック式のロード漏れを防止できる。
【００５５】
このため、インターロック試験を実施する試験員は、インターロック式のロジック図表示画面に表示されているインターロック式が実際に制御装置Ｂ１〜Ｂ５にロードされているか否かを知ることができ、制御装置へのインターロック式のロード漏れを防止できる。
【００５６】
（その他の実施形態）  
第１及び第２の実施形態に示すロジック図表示部１５は、制御装置と伝送接続できているか否かをチェックする伝送接続チェック機能を有していても構わない。
【００５７】
ロジック図表示部１５は、伝送接続チェック機能により、制御装置データベース１８に登録されている制御装置と伝送接続できているか否かを、予め設定された周期で確認する。ロジック図表示部１５は、インターロック式保存データベース１７に記録されるインターロック式と、上記周期の経過時に変換済みのインターロック式と、伝送接続チェックの結果とを参照し、インターロック式の変更点が明示され、かつ、伝送接続されていない制御装置と、伝送接続できている制御装置とが区別されるロジック図を作成する。図１２は、ロジック図表示部１５が、図３に示すインターロック式と、図６に示すインターロック式と、伝送接続チェックの結果とを参照して作成するロジック図を示す。図１２においては、ロジック図表示部１５は、制御装置Ｂ２が伝送接続され、制御装置Ｂ５が伝送接続できていない場合を例に示している。そのため、制御装置Ｂ２により作成される信号は破線で示され、制御装置Ｂ５により作成される信号は一点鎖線で示される。
【００５８】
これにより、伝送接続できている制御装置については、インターロック式から除外しているものの、外部配線作業の実施、またはハード信号の模擬入力を行うことを条件としてインターロック式から除外せずに試験が可能な状況であることを、インターロック試験を実施する試験員が、インターロック式のロジック図表示から定期的に知ることができる。このため、試験の作業効率が向上することとなる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１０…制御インターロック設定部、１１…インターロック式編集部、１２…制御装置登録部、１３，１９…インターロック式変換部、１４…ロード部、１５…ロジック図表示部、１６…変電所データベース、１７…インターロック式保存データベース、１８…制御装置データベース、Ｂ１〜Ｂ５…制御装置、Ｑ…開閉器
【図１】
0005911739.tif 000002
【図２】
0005911739.tif 000003
【図３】
0005911739.tif 000004
【図４】
0005911739.tif 000005
【図５】
0005911739.tif 000006
【図６】
0005911739.tif 000007
【図７】
0005911739.tif 000008
【図８】
0005911739.tif 000009
【図９】
0005911739.tif 000010
【図１０】
0005911739.tif 000011
【図１１】
0005911739.tif 000012
【図１２】
0005911739.tif 000013